(57)【特許請求の範囲】
【請求項１】
コイルケース、
当該コイルケース内に配置され、一次コイルと当該一次コイルが巻かれた一次ボビンとからなる一次コイル部、
前記一次ボビン内に配置され、二次コイルと当該二次コイルが巻かれた二次ボビンとからなる二次コイル部、
前記二次ボビン内に配置されたセンターコア、
前記コイルケースにおける二次コイル低圧側の端部に配置され、周囲が回路ケース部に囲われる点火制御用の駆動回路、
前記一次コイル部、二次コイル部、センターコア、駆動回路を絶縁すべく前記コイルケース内に充填される充填絶縁樹脂、
前記駆動回路の周囲の前記回路ケース部に設けられ、且つ電源及び点火信号入力用の複数の外部接続端子を有するコネクタ、
前記二次ボビンの二次コイル低圧側の端部に形成され、前記一次ボビンより頭出しされた二次ボビンヘッド部、
この二次ボビンヘッド部の外周もしくは側壁部に固定された接続導体であって、一端が前記コネクタの電源用接続端子に接続され、他端に前記一次コイル一端と前記二次コイル一端を巻付ける接続端部が形成された一次・二次コイル用コイル接続導体、
前記駆動回路の複数の引出し端子、を備え、
前記一次・二次コイル用コイル接続導体の一端および、前記複数の引出し端子が前記コネクタ端子の前記ケースの内側に突出する端部と同一平面内で互いに重なり合うように配置されており、当該重なり部で溶接されている
ことを特徴とするエンジン用点火コイル装置。
【請求項２】
請求項１に記載したものにおいて、
前記一次コイルの他端を前記駆動回路の駆動素子に接続するための一次コイル端子が前記二次ボビンヘッドの外周もしくは側壁部に固定されている
エンジン用点火コイル装置。
【請求項３】
請求項１に記載したものにおいて、
前記駆動回路の周囲の回路ケース部に設けられたフランジ部、
当該フランジ部に設けられたねじ孔を有する
エンジン用点火コイル装置。
【請求項４】
請求項１に記載したものにおいて、
前記コネクタが形成された前記駆動回路の周囲の回路ケース部は、前記コイルを収納するコイルケースとは別体に形成されており、後から前記コイルケースに一体に接着あるいは溶着されるものである
エンジン用点火コイル装置。
【請求項５】
請求項１に記載したものにおいて、
前記一次・二次コイル用コイル接続導体の一端および、前記複数の引出し端子の端部が前記センターコアの軸線に沿った方向の折れ曲がり部を有し、
前記コネクタ端子の前記ケースの内側に突出する端部が前記センターコアの軸線に沿った方向の折れ曲がり部を有し、
当該両折れ曲がり部が前記センターコアの軸線に沿った同一面内で互いに重なり合うように配置されており、当該重なり部で溶接されている
エンジン用点火コイル装置。
【請求項６】
請求項１もしくは請求項５のいずれかに記載したものにおいて、
前記一次・二次コイル用コイル接続導体の他端および、前記複数の引出し端子の端部と前記コネクタ端子の前記ケースの内側に突出する端部との前記溶接された重なり部が前記充填絶縁樹脂で絶縁されている
エンジン用点火コイル装置。
【発明の詳細な説明】
【０００１】
【発明の属する技術分野】
本発明は、エンジンの各点火プラグホール内に装着されて個々の点火プラグに直結して使用される独立点火型のエンジン用点火コイル装置に関する。
【０００２】
【従来の技術】
近年、上記した独立点火型のエンジン用点火コイル装置が開発され、実用化されている。この種の独立点火型のエンジン用点火コイル装置は、点火コイルと点火プラグが直結されるため、ディストリビュータを不要とし、その結果、ディストリビュータ，その高圧コード等で点火コイルへの供給エネルギーが降下するようなことがなく、しかも、点火エネルギーの降下といった配慮をすることなく点火コイルを設計できるために、コイル容積を小さくし、点火コイルの小形化を図れると共に、ディストリビュータの廃止によりエンジンルーム内の部品装着スペースの合理化を図れるものとして評価されている。
【０００３】
独立点火型の点火コイル装置は、ペンシル形を呈するためにペンシルコイルと通称され、細長円筒形のコイルケースの内部にセンターコア（磁路鉄心で珪素鋼板を多数積層したもの），一次コイル，二次コイルを内装しており、一次，二次コイルはそれぞれのボビンに巻かれ、センターコアの周囲に同心円をなして配置されている。このような一次，二次コイルを収容するコイルケース内には、絶縁用樹脂を注入硬化させたり絶縁油を封入することでコイルの絶縁性を保証している。
【０００４】
いわゆるペンシルコイルにおいて、一次，二次コイルを同心円状に配置した場合の形態としては、一次コイルを内側，二次コイルを外側に配置するものと（例えば、特開平８−２５５７１９号公報、特開平９−７８６０号公報，特開平９−１７６６２号公報に記載のもの）、二次コイルを内側，一次コイルを外側に配置したもの（例えば、特開平８−９３６１６号公報、特開平８−９７０５７号公報、特開平８−１４４９１６号公報、特開平８−２０３７５７号公報等に記載のもの）がある。
【０００５】
従来のこの種の点火コイル製造は、図６（ｃ）に示すように、一次ボビン４への一次コイル５の巻線工程と、二次ボビン２への二次コイル３の巻線工程とを別々に行い、一次コイル５の巻線工程では、そのコイル一端５ａを一次ボビン４に設けた一次コイル端子（端子金具）１（丸印）に接続し、コイル他端５ｂを一次コイル端子（端子金具）２（丸印）に接続し、一方、二次コイル３の巻線工程では、そのコイル一端３ａを二次ボビン２に設けた低圧側二次コイル端子（端子金具）３（丸印）に接続し、コイル他端３ｂを高圧側二次コイル端子（端子金具）４（丸印）に接続する。これらの端子へのコイル接続は、一般にコイル端を端子にからげた（巻き付けた）後に半田付けすることで行われている。
【０００６】
上記巻線完了後に一次コイル５（一次ボビン４を含む）を二次ボビン２に内挿し、次いで電源入力側に接続される一次コイル端子１（丸印）と二次コイル端子３（丸印）を渡り線Ｍを介して電気的に接続していた。
【０００７】
なお、図６（ｃ）とは逆に、二次コイルを内側に、一次コイルを外側に配置するタイプの点火コイルであっても、従来は図２５に示すように図６（ｃ）とほゞ同様の一次巻線工程、二次巻線工程、コイル組み工程を踏襲していた。図２２において、図６と同一符号は同一要素を示す。
【０００８】
その他、先に挙げた特開平８−９３６１６号公報、特開平８−９７０５７号公報、特開平８−１４４９１６号公報、特開平８−２０３７５７号公報等に記載の独立点火型コイル装置も、一次巻線工程，二次巻線工程を別々に行った後に二次コイル（二次ボビンを含む）を一次コイル（一次ボビンを含む）の内側に挿入するものであるが、この公知例では、一次ボビンの上部に設けた蓋部に上記図６（ａ）の端子１（丸印）、２（丸印）、３（丸印）に相当する端子金具を設けている。この場合、二次コイルの一端（低圧側一端）は二次コイルの巻線工程で二次ボビンに一旦仮止めされ、この二次ボビンを一次ボビンに内挿した後にその二次コイル一端が引出されて一次ボビン側に設けた端子３（丸印）に接続され、この端子３（丸印）と端子１（丸印）とが渡り線Ｍ或いはそれに類した接続部材を介して接続される。
【０００９】
【発明が解決しようとする課題】
本発明の目的は、一次・二次コイルの端部の接続構成を改良して、エンジン用点火コイル装置の生産性を向上させることにある。
【００１０】
本発明は、一次ボビンに内挿された二次ボビンのヘッドを一次ボビンより頭出しすると共に、二次ボビンヘッドの周囲に一次コイル一端と二次コイル一端を電源に接続するための一次・二次コイル兼用のコイル端子が設けられていることを特徴とする。
【００１１】
さらに好適には、二次ボビンヘッドの周囲に一次コイル他端を点火制御の駆動素子に接続するための一次コイル端子〔図６（ａ）の２（丸印）端子に相当する〕とを設けることを特徴とする。
【００１２】
【発明の実施の形態】
本発明の実施例を図面により説明する。
【００１３】
まず、図１〜図１６により第１の実施例に係わる点火コイル装置（ペンシルコイル）を説明する。
【００１４】
図１に点火コイル装置２１の縦断面図（図３のＢ−Ｂ´線断面矢視図）及びその一部を拡大したＥ部拡大断面図を示し、図２に図１のＡ−Ａ′線断面図を示す。図３は図１の点火コイル装置を上面からみた図で、回路ケース９の内部を樹脂充填前の状態で表わしている。
【００１５】
細長円筒形のコイルケース（外装ケース）６の内部には、中心から外側に向けて順にセンターコア１，二次ボビン２，二次コイル３，一次ボビン４，一次コイル５が配置され、それらの隙間には注入硬化した樹脂モールド（絶縁性エポキシ樹脂）８が介在している。
【００１６】
二次コイル３を巻線した二次ボビン２の外径は、一次ボビン４の内径よりも小径に形成して、二次ボビン２及び二次コイル３が一次ボビン４の内側に位置している。
【００１７】
一次ボビン４は、ポリブチレンテレフタレート（ＰＢＴ）やポリフェニレンサルファイド（ＰＰＳ）等の熱可塑性合成樹脂で成形され、一次コイル５が巻線されている。一次コイル５は線径０．３ｍｍ程度のエナメル線を一層あたり数十回ずつ数層にわたり合計１００〜３００回程度巻き回される。なお、図１のＥ部拡大断面図では、作図の便宜上、一次コイル５を模式的に一層で表現しているが、実際は上記のように数層で構成されている。
【００１８】
二次ボビン２は変性ポリフェニレンオキサイド（変性ＰＰＯ）等の熱可塑性樹脂で成形され、該ボビン２に巻かれる二次コイル３は、線径０．０３〜０．１ｍｍ程度のエナメル線を用いて合計５０００〜２００００回程度分割巻きされている。二次ボビン２，一次ボビン４の構造及びそのボビン組み（コイル組み）については、図７〜図１１を用いて後で詳述する。
【００１９】
コイルケース６は一次ボビン４と同じような熱可塑性樹脂で成形されており、その上部に配置したコネクタ９Ｂ付き回路ケース（点火制御ユニットケース或いはイグナイタケースと称せられることもある）９とは別々に成形されている。回路ケース９は、点火制御の駆動回路（点火回路）のユニット４０を収容すると共に、コネクタ部（コネクタハウジング）９Ｂと一体成形されている。回路ケース９及びそのコネクタ端子等については、後述する。
【００２０】
センターコア１は、その断面積を増やすように、例えば、図２に示すように、幅長を数段階に設定した多数の珪素鋼板をプレス積層して成り、二次ボビン２の内径に挿入される。
【００２１】
コイルケース６の外側面に装着されるサイドコア７は、センターコア１と協働して閉磁路を構成するもので、薄い珪素鋼板を管状に丸めて成形される。サイドコア７は磁束の１ターンショートを防ぐため、サイドコア７円周上において少なくとも１箇所は軸方向に切れ目を設けている。本実施例では、サイドコア７は、珪素鋼板を複数枚（ここでは２枚）重ねて、うず電流損を減らして出力向上を図っているが、１枚で構成してもよく、２枚以上であってもよい。
【００２２】
センターコア１と二次ボビン２の間、二次コイル３と一次ボビン４との間、一次コイル５とコイルケース６との間にはエポキシ樹脂８が注入されて絶縁性が保証されている。
【００２３】
二次ボビン２は、その外周に二次コイル３の分割巻きのためのフランジ２Ｂが軸方向に所定間隔を置いて多数配設される。
【００２４】
二次ボビン２の上部には、ボビンヘッド２Ａが二次ボビン２と一体に成形してある。ボビンヘッド２Ａは一次ボビン４の上端よりも頭出しされるように設定されている。
【００２５】
図７に、二次ボビン２に二次コイル３を巻線した工程後のボビンヘッド２Ａ付近の拡大斜視図を示し、図８に図７の二次ボビン２を一次ボビン４に内挿した時のボビンヘッド２Ａ付近の拡大斜視図を示す。なお、図１では、ボビンヘッド２Ａについては部分断面して、断面しない部分についてはボビンヘッド外側面の一部を表わしている。
【００２６】
本例のボビンヘッド２Ａは長方体の箱形を呈し、ボビンヘッド２Ａの外側面に、点火コイルの製造過程において二次ボビン２を巻線機の回転シャフト６２（図１５参照）に挿入セットした時に回転シャフト側に設けたボビン位置決め兼用の回り止め６４に係合する係合部２Ｄが設けてある。
【００２７】
本例の係合部２Ｄはボビン軸方向に延びる凸条を呈しており、回転シャフト６２側の回り止め６４はシャフト６２の軸方向に平行な２本のピン６４をカップリング６３の一端面に配設してなり、このピン６４間に凸条係合部２Ｄが嵌まるようにしてある。
【００２８】
ボビンヘッド２Ａの内部には、上部開口部を通して図１に示すようなマグネット１６，軟質エポキシ樹脂のカバー部材１７が充填される。また、二次ボビン２側であるにもかかわらず、そのボビンヘッド２Ａの外側面に一次・二次コイル兼用のコイル端子１８と一次コイル端子１９とが設けてある。
【００２９】
ここで、一次・二次コイル兼用端子１８は、図６（ｂ）の兼用端子１（丸印）、３（丸印）に相当する。すなわち、二次コイル３の一端３ａを取り出して電源に接続するためのコイル端子〔図６（ａ）の回路における３（丸印）端子に相当する〕と、一次コイル５の一端５ａを取り出して電源に接続するためのコイル端子〔図６（ａ）の回路における１（丸印）端子に相当する〕としての機能をなす。
【００３０】
一方、一次コイル端子１９は、図６（ａ）の回路及び図６（ｂ）における２（丸印）端子に相当し、一次コイル５の他端５ｂを取り出して点火回路ユニットのパワートランジスタ（点火コイル駆動素子）３９のコレクタに接続される。
【００３１】
図７，図８に示すように一次・二次コイル兼用端子１８は、帯状の金属板で成形され、その取付脚部１８ｃを介して二次ボビンヘッド２Ａの一外側面に設けたポケット２０に圧入固定される。その一端１８′はＬの字状に立ち上げ成形されて、この立ち上げ部分１８′が図１，図９に示すように電源入力用のコネクタ端子３１の一端３１ｂに溶接等で接合される。なお、図９は、点火コイル装置からコイルケース６及び点火回路ケース９を取り去って、一次コイル５を巻き回した一次ボビン４，二次コイル３を巻き回した二次ボビン２のボビン組み（一次・二次コイル組み）と二次ボビンヘッド２Ａ上に設置される点火回路ユニット（イグナイタと称せられることもある）４０との結合関係を示す斜視拡大図であり、図９中における点火回路ユニット４０及びその引出し端子３２，３４，３６は実際には図３に示すように回路ケース９内に収容され、また、コネクタ端子３１，３３，３５は回路ケース（樹脂ケース）９中にその一部が埋設されている。
【００３２】
一次・二次コイル兼用端子１８は金具単体より成り、図７及び図８に示すように二次コイル３の一端３ａを引出してからげる（巻き付ける）部分１８ａと、一次コイル５の一端５ａを引出してからげる部分１８ｂとが一体成形してあり、このからげ部１８ａ，１８ｂでコイル一端３ａ，５ａがそれぞれからげられた後に半田付けされる。二次ボビン２の上端フランジ２Ｂ′には二次コイル一端３ａを端子金具１８に導くための切欠き２Ｃが形成してあり、同様に一次ボビン４の上端フランジ４Ａにも一次コイル一端５ａを端子金具１８に導くための切欠き４Ｂが形成してある。
【００３３】
一次コイル端子１９も帯状の金属板で成形され、二次ボビン２の上記ポケット２０のある位置と反対側の外側面に設けたポケット（図示省略）に圧入固定され、また、その一端１９′がＬの字状に立ち上げ成形され、且つ水平に張り出す腕部１９″が一次・二次コイル兼用端子１８側に向けて延設されて先端部１９′が端子１８側の先端部１８′と近接位置で平行に並ぶように配置されている。この一次コイル端子１９は、図９に示すように点火回路ユニット４０側の引出し端子（リード端子）３２に溶接により接続される。引出し端子３２は、図１，図３に示すように点火回路ユニット４０のパワートランジスタ３９のコレクタ側にワイヤボンディング４２を介して電気的に通じている。
【００３４】
図９に示すようにコネクタ端子（コネクタピン）には、既述したコネクタ端子３１の他にコネクタ端子３３，３５がある。
【００３５】
ここで、コネクタ端子３１，３３，３５と点火制御の駆動回路との関係について説明する。
【００３６】
図４は点火コイル装置２１の回路ケース９に搭載される点火駆動回路４１と一次コイル５，二次コイル３との電気配線図である。
【００３７】
一次コイル５の一端５ａと二次コイル３の一端３ａは、二次ボビン２に設けた一次・二次コイル兼用端子１８及びコネクタ端子３１を介して直流電源の＋側に接続される。一次・二次コイル兼用端子１８は、図６の点火コイル原理図で述べた一次・二次コイル兼用端子１（丸印）、３（丸印）に相当する。
【００３８】
一次コイル５の他端５ｂはダーリントン接続されたパワートランジスタ３９のコレクタ側に二次ボビンに設けた一次コイル端子１９及び点火回路ユニット４０に設けたリード端子３２を介して接続される。一次コイル端子１９は先に述べた一次コイル端子２（丸印）に相当する。
【００３９】
二次コイル３の他端３ｂは、高圧ダイオード１０を介して点火プラグ２２に接続される。高圧ダイオード１０は、二次コイル３で発生した高電圧を図１に示す板ばね１１，高圧端子１２，スプリング１３を介して点火プラグ２２に供給する場合に過早着火を防止する役割をなす。
【００４０】
図示されないエンジンコントロールユニットで生成された点火制御信号はコネクタ端子３３及び点火回路ユニット４０に設けたリード端子３４を介してパワートランジスタ３９のベースに入力される。この点火制御信号に基づいてパワートランジスタ３９がオン・オフ制御されて一次コイル５が通電制御され、一次コイル５の遮断時に二次コイル３に点火用の高圧電圧が誘起される。
【００４１】
パワートランジスタ３９の二段目トランジスタのエミッタ側は点火回路ユニット４０に設けたリード端子３６及びコネクタ端子３５を介してアースに接続されている。
【００４２】
以上のことから、図３及び図９に示すように、一次・二次コイル兼用端子１８の一端１８´とコネクタ端子３１の一端３１ｂとが溶接により接続され、一次コイル端子１９の一端１９´と点火回路ユニット側のリード端子３２の一端とが溶接により接続され、コネクタ端子３３と点火回路ユニット側のリード端子３４の一端同士が溶接により接続され、コネクタ端子３５とリード端子３６の一端同士が溶接により接続される。
【００４３】
なお、図４において、７１は点火コイルの通電制御により発生するノイズを防止するためのノイズ防止用コンデンサで、電源線とアース間に配置され、本例では点火回路ユニットを収容するケース外部に配置してある。例えば、ノイズ防止用コンデンサ７１はエンジンルーム内の配線（エンジンハーネス）のアースポイントに配置してある。
【００４４】
点火信号入力端子３４及びパワートランジスタ３９のベース間に設けた抵抗７２、及び抵抗７２・アース間に設けたコンデンサ７３は、サージ保護回路を形成する。抵抗７４，７６及びツェナーダイオード７５は点火制御系の過電流制限回路を形成する。７７は一次電圧制限用ダイオード、７８は逆電流印加時の保護回路を構成するダイオードである。
【００４５】
図１，図３，図９に示すように、点火回路ユニット４０側のリード端子３２，３４，３６は、箱形にプレス成形されたアルミ製の金属ベース３７に接着された合成樹脂製の端子台３８上に固定されている。また、上記した端子１８・３１と、１９・３２と、３３・３４と、３５・３６とは、それらの接合部が同一方向に向いて平行に配列されることで、溶接を行い易くしてある。
【００４６】
点火回路ユニット４０は、上記した抵抗７２，コンデンサ７３，トランジスタ７４，ツェナーダイオード７５，抵抗７６，ツェナーダイオード７７，ダイオード７８より成るハイブリットＩＣ回路４１と、パワートランジスタ３９とを金属ベース３７内に配設して成り、金属ベース３７にはシリコンゲルが充填されている。
【００４７】
点火回路ユニット４０を収容する回路ケース（イグナイタケース）９は、上記したコネクタ端子３１，３３，３５を収容するコネクタハウジング９Ｂと一体にモールド成形される。
【００４８】
図１，図３に示すように回路ケース９は、点火回路ユニット４０を収容する個所がケース側壁９Ａにより囲んでおり、また、点火回路ユニット４０は図３に示すように側壁９Ａに囲まれるスペースの床面（内）９Ｅ上に位置決め突起９Ｄに案内されて載置されている。床面９Ｅの中央はコイルコース６側の開口面に臨むように開口している。
【００４９】
回路ケース９は、コイルケース６と別個に成形され、コイルケース６の上端に嵌合接着により結合される。この結合状態は、図３に示すようにコイルケース６の上部外周に設けた突起６Ａが回路ケース９側の凹溝９Ｆに周り止め状態で係合する。
【００５０】
上記結合状態で回路ケース９内に収容された点火回路ユニット４０の金属ベース３７が二次ボビン２のヘッド２Ａ直上に配置されると共に、回路ケース９のコネクタ端子３１の一端３１´及びリード端子３２の一端がそれぞれ二次ボビンヘッド２Ａ側に設けた一次・二次コイル兼用の端子１８及び一次コイル端子１９の各一端と回路ケース９内で重なり合うように設定されて、これらの重なり合う端子同士の溶接が容易に行われるように配慮されている。また、点火回路ユニット４０をセットした時には、点火回路ユニット４０側の引出し端子３４及び３６もそれぞれ対応のコネクタ端子３３，３５と自ずと位置合わせされる。
【００５１】
また、回路ケース９は側壁９Ａの周囲にフランジ９Ｃを形成しており、このフランジ９Ｃの一部に点火コイル装置２１をエンジンカバーに取付けるためのねじ孔２５が配設してある。回路ケース９の内部は絶縁用エポキシ樹脂４３で覆われている。
【００５２】
次に二次ボビン２及び一次ボビン４の底部側の構造について図１０及び図１１により説明する。
【００５３】
図１０は、一次ボビン４に二次ボビン２・二次コイル３を内挿する場合の底部付近の斜視図を示す。図１１には、一次ボビン４，二次ボビン２の底面図及びそれらを組みにした状態の底面図が示してある。
【００５４】
図１０，図１１に示すように、二次ボビン２は、底部が閉じて有底円筒状に形成され、その底部外面に高圧ダイオード１０を取り付けるための突起２Ｅが設けてある。二次コイル３の一端３ｂは、図１に示すように高圧ダイオード１０及び板ばね１１を介して高圧端子１２に接続される。
【００５５】
一次ボビン４の底部は開口しており、二次ボビン２を一次ボビン４に内挿すると、高圧ダイオード１０が一次ボビン４の底部開口４′から突出するようにしてある。また、一次ボビン４の底部には開口４′を挾む形で対向する一対の二次ボビン受け４Ｄが一次ボビン４の底部側フランジ（底部一端面）４Ｃよりも下方に突出するようにして配設されている。
【００５６】
二次ボビン受け４Ｄは、二次ボビン２をそのフランジ２Ｂ（最下端のフランジ）を介して受け、ボビン受け４Ｄ同士の対向辺は直線で残りの輪郭が円弧状をなした形で、対向辺の中心から半径方向に向けて凹部（溝部５１）が設けてあり、二次ボビン２の底部側外周に設けた凸部５２と凹凸係合することで、二次ボビン２と一次ボビン４との相対的な回り止めを図っている。
【００５７】
また、一次ボビン４の底部フランジ４Ｃには、下方に向けた一対の突起５３が設けてあり、この突起５３は図１２に示すようにコイルケース６の内周一部に設けた一次ボビン受け６Ａの位置決め用の溝６Ｂと係合することで、コイルケース６と一次ボビン４との相対的な回り止めが図られている。
【００５８】
二次ボビン２の底部２は、図１１（ｂ）に示すように、略円形であるが左右に僅かに平面をなすカット面２Ｇを有し、このカット面２Ｇが図１１（ｄ）に示すように二次ボビン受け４Ｄの対向辺（直線）に適合して一次ボビン４の底部開口４′に位置するようにしてある。また、カット面２Ｇの位置に上記凸部５２が設けてある。
【００５９】
二次ボビン受け４Ｄに形成した凹部５１には、図１１（ｃ）に示すようにその上端にテーパ５１′を設けて凹部５１の間口を広げることで、二次ボビン２の内挿時に凸部５２が凹部５１と多少位置ずれしてもテーパ５１′に案内されて入り易くしている。
【００６０】
なお、一次ボビン４側の底部に設けた２次ボビン受け４Ｄを、底部開口４′を挾んで対向配設し且つ一次ボビン底部より下方に突出させることで、一次ボビン４底部に二次ボビン受け２Ｄの無い側面スペース４″を確保することができる。
この側面スペース４″を介して図１１（ｄ）の矢印Ｐに示すように絶縁樹脂８′の注入時に一次ボビン４・二次ボビン２（２次コイル３）内外周間の隙間とコイルケース６・一次ボビン４（一次コイル５）内外周間の隙間との間の樹脂流通性を良好にして、一次ボビン４底部の注入絶縁樹脂中の気泡が抜けるようにしてある。
【００６１】
二次ボビン２の底部にはマグネット１５及び発泡ゴム４５が積層状に配置され、その上にセンターコア１が内挿されている。このマグネット１５及び２次ボビンヘッド２Ａに設けたマグネット１６は、磁路（センターコア１，サイドコア７）中に反対方向の磁束を発生させることにより、点火コイルをコアの磁化曲線の飽和点以下で動作させることができる。
【００６２】
発泡ゴム４５は、点火コイル装置２１の絶縁樹脂８の注入時及び使用時の温度変化に伴うセンターコア１と二次ボビン２の熱膨張差を吸収する（熱応力緩和）。
【００６３】
コイルケース６の下端には、点火プラグ２２（図５参照）を挿入するための筒壁６′がスプリング１３を囲むようにして形成される。この筒壁６′はコイルケース６と一体成形され、筒壁６´に点火プラグ２２を絶縁しつつ装着するための可撓性絶縁材で形成したブーツ例えばゴムブーツ１４が取付けてある。
【００６４】
図５に上記構成より成る点火コイル装置２１をエンジンのプラグホール２３内に装着した状態を示す。
【００６５】
点火コイル装置２１はエンジンカバー２４及びガイドチューブ２３Ａを通してプラグホール２３内に挿入され、ゴムブーツ１４が点火プラグ２２の周囲に密着して、点火プラグ２２の一部がコイルケース６の一端筒壁６′に導入されスプリング１３を圧接することで、点火コイル装置２１が点火プラグ２２に直結する。
点火コイル装置２１は、回路ケース９に設けたねじ孔２５（図１参照）及びエンジンカバー２４に設けたねじ孔２６をねじ２７により締め付け、且つコイルケース６上部に設けたシールゴム２８をエンジンカバー２４の点火コイル装置挿通孔２４周縁に設けた環状凸部２９に嵌合させることで固定されている。
【００６６】
シールゴム２８の内面には、図１に示すように縦溝９２が設けてある。この縦溝９２はシールゴム２８を点火コイル装置２１と共に装着する時に、シールゴム２８のフランジ（エンジンカバー側の凸部２９に嵌まり込む部分）の中の空気を逃がしてシールゴム２８の取付作業を容易にする機能と、エンジンカバー２４内を大気と連通させて大気圧状態を保持することにある。後者の機能は、仮にこの溝９２がないと、エンジン熱により高温状態にあるエンジンカバー内がエンジンカバーに水がかかって急に冷却された時に負圧状態になり、その結果、シールゴム２８が存在してもその負圧力によりシールゴム２８周りにたまった水を引き入れてしまうので、そのような負圧にならないようにするためのもので、溝９２の大気取り入れ口は、エンジンカバー上のたまり水（車が道路上の水等をはねて侵入した水がエンジンカバー上に付着したもの）が流入しないようにある程度エンジンカバーより高い位置に設定してある。
【００６７】
次に上記構成より成る点火コイル装置２１を製造する場合の手順について図１３，図１４により説明する。
【００６８】
図１３に示すように、先ず二次ボビン２に二次コイル３を巻き回して二次コイルの一端３ａを一次・二次コイル兼用端子１８に接続する。この接続はコイル一端３ａを端子１８に巻き付け（からげ）半田付けすることで行われる。また、二次コイル３の他端３ｂも高圧側である二次コイル端子（ここでは高圧ダイオード１０）に接続される。次いで、導通試験が行われる。
【００６９】
二次コイル３が巻線された二次ボビン２は一次ボビン４に内挿固定され、この状態（一次，二次ボビン重ね状態）で、一次ボビン４に一次コイル５を巻き回すと共に、一次コイルの一端５ａを上記の一次・二次コイル兼用端子１８に接続し、一次コイルの他端５ｂを一次コイル端子１９に接続する。これらの接続は、コイル巻き付けと半田付けにより行われる。この場合、一次・二次コイル兼用端子１８と一次コイル端子１９を二次ボビン２側に設けたとしても、端子１８，１９は二次ボビンヘッド２Ａと共に１次ボビン４の一端より外に位置するため、一次コイル５の両端５ａ及び５ｂを容易に端子１８，１９に導いて上記からげ及び半田付け作業を行うことができる。次いで、一次コイルの導通試験が行われる。
【００７０】
次いで板ばね１１（図１４参照）を高圧ダイオード１０と接続されるように高圧ダイオード１０のリード端子に結合させた後、二次ボビン２内に発泡ゴム４５，マグネット１５，センターコア１，マグネット１６を内挿し、その後、ボビンヘッド２Ａ内に軟質エポキシ樹脂を注入し硬化させる。
【００７１】
ここで、二次コイル３の巻線工程と一次コイル５の巻線工程に使用する巻線機については図示省略するが、基本的には回転シャフトにボビンをセットして、ボビンを回転させてエナメル線を巻き回すものであるが、その応用例としては、種々の態様が考えられる。
【００７２】
一つは、一台の巻線機に一次コイル用のエナメル線リールと二次コイル用のエナメル線リールとを備え、且つこれらのリールからそれぞれのエナメル線を引出して回転シャフトの周辺で巻線及びからげに必要な往復動作，旋回動作等を行うハンド機構とを備えて、巻線機一台で一次コイル，二次コイルの巻線を行うものが考えられるが、この場合、本実施例に用いる二次ボビン構造によれば、巻線機の回転シャフトについても共用化を図ることができる。
【００７３】
図１５に上記巻線機の回転機構を示す。回転機構は回転シャフト６２とモータ６１とに大別され、回転シャフト６２はシャフト６２の一部を成すジョイント（カップリング）６３を介してモータ６１の出力シャフト６２´（図１６参照）に着脱自在に結合され、また、回転シャフト６２が出力シャフト６２´と一体に回転するジョイント構造としてある。回転シャフト６２は、その先端からシャフト途中位置までスリット６５が切られて割ピン状に形成され、二次ボビン２の挿入前の状態では回転シャフト６２の割ピン部の少なくとも一部６２Ａが二次ボビン２の内径よりも拡がり、且つ先端に二次ボビン２を案内するためのテーパ６２Ｂが形成されている。また、回転シャフト６３の一部（ここではジョイント６３の一端面）には、二次ボビンヘッド２Ａに設けた係合部２Ｄと係合するボビン位置決め兼回り止め用のピン６４が２本配設され、このピン６４間に二次ボビンヘッド２Ａ側の係合部２Ｄが係合するようにしてある。
【００７４】
上記した共用の巻線機を使用する場合には、図１５（ａ）（ｂ）に示すように、まず二次ボビン２を巻線機の回転シャフト６２にシャフトテーパ６２Ｂを利用して押し込むと、シャフト６２の割ピン部６２Ａが径が小さくなる方向に弾性変形して、二次ボビン２が回転シャフト６２に挿入セットされ、このとき割ピン部６２Ａが自身の弾性復帰力によりボビン２の内面に圧接し、且つ二次ボビンヘッド２Ａに設けた係合部２Ｄが回転シャフトの回り止めピン６４間に係合することで、二次ボビン２の両端が回転シャフト６２上で強固に固定される。
【００７５】
したがって、二次巻線時に二次ボビン２を回転シャフト６２で片持ちさせて回転シャフト６２と一体的に二次ボビン２を高速回転させても、二次ボビン２に滑りや回転ぶれが生ぜず、高精度の精密巻きが要求される二次コイル３の巻線を可能にする。
【００７６】
二次コイル３の巻線及び二次コイル端のコイル端子１８へのからげ（半田付けを含む）を実行した後、図１５（ｃ）に示すように回転シャフト６２に二次ボビン２を取り付けたまま二次ボビンの外側に一次ボビン４をボビン同士の回り止め５２，５１（図１０，図１１に示す）を介して嵌め込み、且つ図示しないボビン支持具で一次ボビン４の一端（二次ボビンの高圧ダイオード１０が位置する側）を回転自在に支えて、一次ボビン４を二次ボビン２と一緒に回転させて該一次ボビン４に一次コイル５を巻く。
【００７７】
このような巻線方法のほかに、二次コイルの巻線機と一次コイルの巻線機とは別々のもので、巻線用の回転シャフト６２だけを図１６に示すように着脱自在にして一次巻線機，二次巻線機に共用させることも可能である。
【００７８】
この場合には、まず、回転シャフト６２を図１５（ａ）同様に巻線機（ここでは二次巻線機のモータ）に取付けて、図１５（ｂ）と同様のセット形態で該回転シャフト６２に二次ボビン２をそのヘッド２Ａを介して挿入セットし、該回転シャフト６２と一緒に二次ボビン２を回転させることで二次ボビン２に二次コイル３を巻き回す。
【００７９】
その後、該二次ボビン２を取付けたまま回転シャフト６２を二次巻線機から外して（図１６参照）、該回転シャフト６２を一次巻線機に取付けると共に二次ボビン２の外側に一次ボビン４を上記図１５（ｃ）同様にボビン同士の回り止め５１，５２を介して嵌め込んで、該一次ボビン４を二次ボビン２と一緒に回転させて一次ボビン４に一次コイル５を巻く。
【００８０】
さらに、上記回転シャフト共用方式に代えて、二次コイルの巻線機と一次コイルの巻線機とは別々のもので巻線用の回転シャフトもそれぞれ用意するが、それらの回転シャフト６２を共通型式のものとすることも可能である。
【００８１】
この場合には、まず二次ボビン２をそのヘッド２Ａ（係合部２Ｄ）を介して二次巻線機の回転シャフト６２に挿入セットし、該回転シャフト６２と一緒に二次ボビン２を回転させることで二次ボビン２に二次コイル３を巻く。その後、該二次ボビン２を二次巻線機から外して、一次巻線機の回転シャフトに二次ボビンヘッド２Ａ（係合部２Ｄ）を介して挿入セットすると共に二次ボビン２の外側に一次ボビン４をボビン同士の回り止め５１，５２を介して嵌め込んで、該一次ボビン４を二次ボビン２と一緒に回転させて一次ボビン４に一次コイル５を巻く。
【００８２】
図１３に示す一連の工程を経て製作されたコイル組立体は、図１４に示すようにコイルケース６及び回路ケース９の組立体に高圧端子１２，板ばね１１，点火回路ユニット４０と共に内挿される。ここで、前述したように一次・二次コイル兼用端子１８とコネクタ端子３１が、一次コイル端子１９と点火回路ユニット側のリード端子３２が、コネクタ端子３３と点火回路ユニット側のリード端子３４が、コネクタ端子３５とリード端子３６がそれぞれプロジェクション溶接により
接続される。
【００８３】
上記のコイル組立体をコイルケース６に挿入するに先立ち回路ケース９とコイルケース６との嵌合・接着がなされ、また、コイル組立体を挿入後にコイルケース６にサイドコア７の圧入及びゴムブーツ１４の圧入がなされ、さらにエポキシ樹脂４３の注入，硬化が行われる。
【００８４】
本実施例の主な作用，効果は次の通りである。
（１）精密巻きが要求される二次コイル３については予め巻線して、この二次コイル３が巻かれた二次ボビン２の外側に一次ボビン４をボビン同士の回り止めを保証しつつ嵌め込んで、二次ボビン２と一緒に一次ボビン４を回転させて、一次ボビン４に一次コイル５を巻くが、この手法によれば、一次コイル５は二次コイル２ほどの精密巻きが要求されずしかも巻線が容易なので、支障がない。したがって、一次，二次ボビンの組み（重ね）状態でのコイル巻線作業を可能にする。
（２）このようなボビン組みの状態での巻線作業を可能にする結果、一次，二次巻線機の共用化，或いは一次，二次巻線機の回転シャフトの共用化，或いは一次，二次巻線機の回転シャフトの型式の統一（シャフトの互換性）を図ることができる。
（３）さらに、二次ボビン３に一次・二次コイル兼用端子１８（１（丸印）、３（丸印））を設けることで、従来のように一次端子１（丸印）と二次端子３（丸印）を渡り線Ｍ〔図６（ｃ）参照〕を介して接続する必要性がなくなり渡り線Ｍの接続工程を省略できる。また、上記したようにボビン組みの状態での一次巻線を保証することで、一次コイル５を一次ボビン４に仮止めすることなくダイレクトに二次ボビン２側に設けた一次・二次コイル兼用端子１８及び一次コイル端子１９に接続することができる。
（４）一次ボビン４に内挿された二次ボビン２のヘッド２Ａを一次ボビン３より頭出しすることで、上記一次・二次コイル兼用端子１８及び一次コイル端子１９を二次ボビン２に設ける場合であっても設置スペースを充分に確保できる。
（５）回路ケース９をコイルケース６の上端に嵌合・接着により結合した時に、回路ケース９のコネクタ端子３１の一端３１´及びリード端子３２の一端がそれぞれ二次ボビンヘッド２Ａ側に設けた一次・二次コイル兼用の端子１８及び一次コイル端子１９の各一端と回路ケース９内で重なり合うように設定されて、これらの重なり合う端子同士の溶接が容易に行われる。また、回路ユニット４０は位置決め部材９Ｄを介して正確に位置決めされるので、コネクタ端子３３・回路ユニット側のリード端子３４、コネクタ端子３４・回路ユニット側のリード端子３６との位置決めも正確になされる。したがって、端子同士の接合時に位置ずれが生ぜず、作業性，品質向上を高める。
（６）一次ボビン４底部に二次ボビン受け２Ｄの無い側面スペース４″を確保することで、絶縁樹脂８の注入時に一次ボビン４・二次ボビン２（二次コイル３）内外周間の隙間とコイルケース６・一次ボビン４（一次コイル５）内外周間の隙間との間の樹脂流通性を良好にして、一次ボビン４底部の注入絶縁樹脂中の気泡抜きを良好にし、点火コイルの絶縁性能を向上させる。
【００８５】
次に本発明の第２実施例について図１７から図２４により説明する。
【００８６】
図１７は、第２実施例に係わる点火装置の部分断面図（図１８のＤ−Ｄ′断面図）である。図中、第１実施例に用いた符号と同一のものは同一或いは共通する要素を示す。図１８は図１７の点火コイル装置を上面からみた図で、回路ケース９の内部を樹脂充填前の状態で表わしている。なお、図１７のＦ−Ｆ´線断面図は図２と同様であるため図示省略する。
【００８７】
本実施例においては、第１実施例と異なる主な相違点を述べる。
【００８８】
本実施例における点火ノイズ防止用コンデンサ７１（以下、ノイズ防止コンデンサ７１と称する）は回路ケース９に内装してある。そのため、既述のコネクタ端子の金具（電源接続用コネクタ端子３１，点火信号入力用のコネクタ端子３３，点火回路アース用端子３５）の他にノイズ防止コンデンサ７１のアース専用コネクタ端子（キャパシタグラウンド用端子）７２の金具を追加してコネクタハウジング９Ｂに収容し、このコネクタ端子７２と電源接続用（＋電源）コネクタ端子３１間にノイズ防止コンデンサ７１を接続する。
【００８９】
回路ケース９における点火回路ユニット４０を収容するスペースを第１実施例よりも拡張することで、この収容スペースにノイズ防止コンデンサ７１を設置する。ノイズ防止コンデンサ７１の設置箇所は、コネクタ端子３１〜３５，７２の中間部をケース９樹脂中に埋設して、この埋設位置近くのケース９床面上である。
【００９０】
また、電源接続用コネクタ端子３１の中間部と、キャパシタグラウンド端子７２の一端には端子金具の一部を垂直（ほゞ垂直を含む）に立ち上がるように折り曲げて、この折曲部（立上げ部）３１ｃ，７２′をケース９床面より突出させてノイズ防止コンデンサ７１の両サイドに配置させている。ノイズ防止コンデンサ７１の両リード線７３は、この折曲部３１ｃ，７２′にそれぞれ接続されている。本例ではコンデンサ７１のリード線７３を端子折曲部３１ｃ，７２′にからげて半田付けしている（図２３参照）。
【００９１】
ここでは、リード線７３の一端（からげ部）７３´を予め端子３１，７２への接続前に輪の形状にしておき、この輪７３´を端子折曲部３１ｃ，７２´に上から嵌め込める形状としてある。図１８に示す９Ｋは、ケース９の床面（内底）９Ｅに設けた突起で、端子折曲部３１ｃ，７２´に隣接して床面９Ｋから垂直に突出形成されており、端子折曲部３１ｃ，７２´の一辺がこの突起９Ｋに食い込むようにしてモールド成形されたものであり、また、突起９Ｋの高さは端子折曲部３１ｃの高さよりも低く、そのため、上記の輪の形状のリード線一端７３´を端子折曲部３１ｃ，７２´の上端から嵌め込んで降ろしていくと、このリード線一端７３´が途中の位置で突起９Ｋの上端に当たりそれ以上の下降が妨げられる。このようにして、リード線７３ひいてはノイズ防止用コンデンサ７１の高さ方向の位置決めがなされる。
【００９２】
また、９Ｊはノイズ防止用コンデンサ７１の横方向の位置決めを行う突起で、回路ケース９の床面９Ｅから２本，突出成形されている。
【００９３】
また、図２４に示すように、端子折曲部３１ｃ，７２′にスリット８０を形成して、コンデンサ７１のリード線７３をスリット８０に挾み込んで半田付けしたりしてもよい。これらのリード線接続によれば半田付けにおけるリード線固定を容易にして作業性を向上させることができる。
【００９４】
ノイズ防止コンデンサ７２を上記の如く設けることで、回路ケース９内の点火回路４１の構成は図２１に示すようになる。
【００９５】
上記のようにノイズ防止コンデンサ７１を回路ケース９内に内装することで、従来に比較して次のような作用，効果を奏する。
（１）従来方式は、ノイズ防止コンデンサ７１は点火コイル装置（ペンシルコイル）２１と別にエンジンルームのハーネスにおける電源アースポイントに設置していたが、このような設置方式によれば、点火コイルのノイズが点火コイル装置・コンデンサ７１間のハーネスに乗ってしまうために点火コイル装置の外部に漏れてしまう。これに対して、本発明方式の場合には、点火コイルのノイズ源からコンデンサ７１までの距離が極めて短くなり、しかもノイズ防止コンデンサ７１を回路ケース９内装タイプにしたので点火コイル装置２１外部に点火ノイズが漏出するのを防止し、ノイズ防止性能を高める。
（２）従来方式は、エンジンルームのハーネスにノイズ防止コンデンサ７１を設けるため、コンデンサ７１を裸のまま設置するとエンジンルームに侵入する水分，塩分等により腐食するおそれがあり、そのためコンデンサ７１を樹脂で覆わなければならず、コスト高となる。これに対して本発明方式の場合には、回路ケース９内の絶縁樹脂４３の封入がコンデンサ７１の樹脂封止を兼ねるので、従来のように回路ケース９と別にコンデンサのための樹脂封止を行う必要がなく、その分、コンデンサ７１のコスト低減を図ることができる。
（３）従来方式は、エンジンルームのハーネスにノイズ防止コンデンサ７１を設けるため、エンジンルーム内のハーネスの工数が増えるが、本発明の場合には、そのようなハーネス上のノイズ防止コンデンサ７１設置作業を不要とし、点火コイル装置２１をエンジンルーム内に搭載すれば自ずとノイズ防止コンデンサ７１も設置されるので、自動車組立上のエンジンルーム内での部品搭載作業の負担軽減を図ることができる。
【００９６】
なお、本実施例では、二次ボビンヘッド２Ａの形状については図１９，図２０に示すように円筒形とし、また、巻線機の回り止めに係合する係合部２Ｄ′は、平行配置した一対の突起片により構成した。巻線機側の回り止めは上記一対の突起片の間に挾み込まれる一条のピン形態（図示省略）となる。
【００９７】
また、点火コイル装置２１におけるスプリング１３は、大部分がコイルケース６の一端筒壁６´に入ることで、スプリング１３の一端（上端）が高圧端子１２と結合するが、プラグ結合側となるスプリング１３の下端（高圧端子１２と反対側の一端）は、少なくとも点火プラグ２２との結合前には、コイルケース６の下端よりも外に出るようにしてある。そのために、コイルケース６の一端筒壁６´の長さを第１実施例（図１）のものよりもスプリング１３に対して相対的に短くしている。
【００９８】
このような態様によれば、点火プラグ２２は、実質的にコイルケース一端筒壁６´の中でスプリング１３の下端と結合（接続）されず（この点、第１実施例では点火プラグ２２の略上半部がコイルケース一端筒壁６´の中に導入されてスプリング１３下端と接続されている）、筒壁６´の下端開口と略同じレベルの位置或いはそれよりも下の位置（筒壁６´の外の位置）でスプリング１３の下端と結合されることになる。そのため、ゴムブーツ１４については、筒壁６´を短くしたことを補う意味で筒壁６´の下端よりも下側を第１実施例のタイプよりも長くして、ゴムブーツ１４を点火プラグ２２と筒壁６´の下方位置で実質的にシール結合できるようにしてある。
【００９９】
上記構成によれば、図２２に示すように点火プラグ２２と点火コイル装置２１との軸線間に相対的な傾きθがある場合であっても、点火プラグ２２がコイルケース筒壁６´に干渉しないので、ゴムブーツ１４の可撓性を利用して点火コイル装置２１と点火プラグ２２とをフレキシブルにシール結合することができる。
【０１００】
本実施例によれば、図２２に示すように点火プラグ２２及びプラグホール２３Ｂがエンジンに角度θを持って設置されている場合であっても、点火コイル装置２１を点火プラグ２２の軸線に一致させることなくガイドチューブ２１，プラグホール２３内に導いて点火プラグ２２と結合させることができ、特に、自動車部品の設置スペースの制約から点火プラグ２２と点火コイル装置２１とを傾きθをもって結合させなければならない場合に、それを従来のペンシルコイル装着操作となんら変わることなく実現させることができる。
【０１０１】
なお、従来のこの種点火コイル装置（ペンシルコイル）は、点火プラグと軸線を一致させて結合させるタイプのものであり、上記のように点火プラグ２２に対して点火コイル装置を角度を持たせて結合するような配慮はなされていなかった。
【０１０２】
なお、ゴムブーツ１４は、次のような沿面放電を防止する機能を有する。すなわち、点火コイル装置２１をプラグホール２３Ｂにセットした場合、点火コイル装置２１の高圧端子１２がプラグホール２３Ｂの近くに位置するが、プラグホール２３Ｂはアースされているため、筒壁６´の一部にクラックなどが生じると高圧端子１２とプラグホール２３Ｂとの間での筒壁６´，クラックを介して沿面放電が生じるおそれがある。ゴムブーツ１４を筒壁６´に取り付けた場合、筒壁６´とゴムブーツ１４との接触する距離Ｌが高圧端子１２とプラグホール２３Ｂとの距離に実質加算されるので、この接触距離Ｌを長く保つことで上記沿面放電を防止できる。本実施例では、コイルケースの下端筒壁６´のうち高圧端子１２の位置からコイルケース筒壁６´の最下端までの距離が短縮されてしまうため、ゴムブーツ１４のうちコイルケース筒壁６´の外側と接触する部分を筒壁６´の最下端からセンターコア７近くまで長く延ばして、上記の沿面放電防止のための距離を確保している。すなわち、ゴムブーツ１４は筒壁６´に嵌まり合う個所のうち筒壁６´の外面に臨む方を筒壁６´の内面に臨む方よりも長く延ばしてトータルの沿面放電防止距離を長く確保している。
【０１０３】
本実施例では上記したようにスプリング１３の下端をコイルケース６の下端開口より下方に出すために、その手法として、上記のようにコイルケース６下部の筒壁６´を短くしているが、これに代えて、筒壁６´に収容された高圧端子１２のコイルケース軸方向の長さをコイルケース６の下端開口位置近くまで延設しても（換言すれば、高圧端子１２のうちスプリング１３を受ける個所からコイルケース６の最下端までの距離よりもスプリング１３の長さが長くなる位置まで高圧端子１２を下方に延長させる）ことで、スプリング１３の下端をコイルケース６の下端開口よりも外（下側）に出すことができる。このように高圧端子１２の長さ調整によりスプリング１３のコイルケース６下端開口から出る量（長さ）を調節することで、点火コイル装置２１を点火プラグ２２の相対的な傾きθに対応して適宜点火プラグと結合（可撓性ブーツ１４を介しての結合）することができる。
【０１０４】
本実施例では、図２２に示すように回路ケース９の下面に設けた環状溝９０にＯリング９１を嵌めて、このＯリング９１を介してシール性を保ちつつエンジンカバー２４面上に点火コイル装置２１を直接設置している。
【０１０５】
回路ケース９には凹部９５を設けて、実質の回路ケース９の厚みを減らして樹脂成形時のひけ防止を図っている。
【０１０６】
本実施例においても、第１実施例と同様の作用，効果を奏する。
【０１０７】
また、上記のノイズ防止コンデンサ７１の配置構成（回路ケース内装タイプ）やゴムブーツ１４の形状，構造は、内側を一次コイル，外側を二次コイルの配置構造にした点火コイル装置においても適用可能である。
【０１０８】
以上のように、第１の実施態様によれば、いわゆる一次ボビン，二次ボビンの重ね合わせ状態でのコイル巻線作業を可能にして、一次，二次コイル巻線機の共用化或いはその回転シャフトの共用化，或いは回転シャフトの型式の統一化を図り、
また、従来使用していた一次・二次コイル間の渡り線接続作業やコイル仮止め作業を不要にすることで、今までの巻線工程，一次・二次コイル組み工程よりも製造プロセスの合理化を図り、生産性を向上させることができる。
【０１０９】
第２の実施態様は、コイルケースにセンターコア，一次ボビンに巻かれた一次コイル，二次ボビンに巻かれた二次コイルを内装した点火コイル装置で、エンジンの各点火プラグホール内に装着されて個々の点火プラグに直結して使用される独立点火型のエンジン用点火コイル装置において、
前記二次コイルを巻いた二次ボビンが前記一次ボビンの内側に配置され、これらの両ボビンにはボビン同士の相対的な回り止めが設けてあり、前記二次ボビンのヘッドが前記一次ボビン上端よりも頭出しされ、この二次ボビンヘッドには、二次ボビンを巻線機の回転シャフトにセットした時に回転シャフト側に設けたボビン回り止めに係合する係合部が設けられていることを特徴とする。
【０１１０】
上記構成によれば、（イ）一次，二次コイルの巻線機を共用にしたり、（ロ）一次，二次コイルの巻線機を別々でその回転シャフトだけを共用にしたり、回転シャフトを共通の型式にして一次コイル，二次コイルの巻線作業を可能にし、特に、一次コイルは、二次コイルを巻いた二次ボビンの外側に一次ボビンを嵌め込んだ状態で実行することが可能になる。
【０１１１】
すなわち、上記のようなボビン配置及び二次ボビンヘッド構造によれば、次のような点火コイル装置の製造ラインを構築することが可能になる。
【０１１２】
（イ）の場合には、まず二次ボビンを一次・二次共用巻線機の回転シャフトに挿入すると、二次ボビンヘッドに設けた係合部が回転シャフト側に設けたボビン回り止めに係合するので、二次ボビンが回転シャフトと共に回転可能になり二次コイルの巻線作業が可能になる。また、この二次ボビンを巻線機に取り付けたまま、この二次ボビンの外側に一次ボビンを嵌合し（すきま嵌め）且つ両ボビン同士の相対的な回り止めがなされる構造なので、これと、上記二次ボビンヘッドの回転シャフトに対する回り止め係合との協働により、二次ボビンと共に一次ボビンを回転させることができ、共用巻線機により一次コイルの巻線作業が可能になる。
【０１１３】
また（ロ）のように１次巻線機，２次巻線機が別々のものでも、その回転シャフトが着脱自在で共用のもの或いは共通のシャフト型式のものに対しては、１次巻線機，２次巻線機を問わず二次ボビンをそのボビンヘッドを介して巻線機の回転シャフトに回り止めの状態で係合でき、さらに二次ボビンヘッドの外側に一次ボビンヘッドをボビン同士の回り止めを図りつつ嵌合できるので、最初に二次巻線機側で一次二次共用或いは共通型式の回転シャフトに二次ボビンをセットして二次コイルを巻いた後、この二次ボビンを一次巻線機に移行させて、一次巻線機側で一次二次共用或いは共通型式の回転シャフトに前記二次ボビンをセットした状態でその外側に一次ボビンを嵌合することにより、二次ボビンと共に一次ボビンを回転させて、一次ボビンへの一次コイルの巻線作業が可能になる。
【０１１４】
また、一次ボビンに内挿された二次ボビンのヘッドを一次ボビンより頭出しすることで、上記コイル端子１（丸印）、３（丸印）及び２（丸印）を二次ボビンに設ける場合であっても設置スペースを充分に確保できる。
【０１１５】
第３の実施態様は、コイルケースにセンターコア，一次ボビンに巻かれた一次コイル，二次ボビンに巻かれた二次コイルを内装した点火コイル装置で、エンジンの各点火プラグホール内に装着されて個々の点火プラグに直結して使用される独立点火型のエンジン用点火コイル装置において、
前記二次コイルを巻いた二次ボビンが前記一次ボビンの内側に配置され、これらの両ボビンにはボビン同士の相対的な回り止めが設けてあり、前記二次ボビンのヘッドが前記一次ボビン上端よりも頭出しされ、
且つ、この二次ボビンヘッドには、一次コイル一端と二次コイル一端を電源に接続するための一次・二次コイル兼用のコイル端子と、一次コイル他端を点火制御の駆動素子に接続するための一次コイル端子とが設けられ、
さらに、前記二次ボビンヘッドには、二次ボビンを巻線機の回転シャフトにセットした時に回転シャフト側に設けたボビン回り止めに係合する係合部が設けられていることを特徴とする。
【０１１６】
第３の実施態様によれば、上記第１，第２の実施態様の双方の作用がなされる。
【０１１７】
第４の実施態様は、第１の実施態様に関連したペンシルコイルの製造方法の実施態様に係り、これを図６（ｂ）を参照しつつ説明すると、その特徴とするところは、一次ボビン４の内側に二次ボビン２が挿入されるよう二次ボビン外径を一次ボビン内径より小径にすると共に前記両ボビンにはボビン同士の相対的な回り止めが設けてあり〔この回り止めは図６（ｂ）では図示省略している〕、前記二次ボビン２側に電源入力端子となる一次・二次コイル兼用端子１（丸印）、３（丸印）と、一次コイル５を点火制御の駆動素子に接続するための一次コイル端子２（丸印）とを設け、且つ、前記二次ボビン２を回転させて二次ボビン２に二次コイル３を巻き、二次コイル３の一端３ａを一次・二次コイル兼用端子１（丸印）、３（丸印）に接続する二次コイル巻線工程と、その後、二次ボビン２の外側に一次ボビン４を嵌め込んで二次ボビン２と共に回転させて一次ボビン４に一次コイル５を巻き、一次コイルの一端５ａを一次・二次コイル兼用端子１（丸印）、３（丸印）に接続し、該一次コイルの他端５ｂを一次コイル端子２（丸印）に接続する一次コイル巻線工程と、を有する点にある。
【０１１８】
本実施態様によれば、図６（ｃ）の従来技術のように一次ボビン４に設けた一次コイル端子１（丸印）と二次ボビン２に設けた二次コイル端子３（丸印）とをコイル組みの工程で渡り線Ｍで接続するような作業を不要とし、或いは各ボビンに仮止めしたコイル一端をコイル組み後にその仮止めをほどいて所定の端子に接続し直すような煩雑な作業を不要とし、製造工程の合理化を図り得る。
【０１１９】
第５の実施態様は、前記第１の実施態様，第２の実施態様に関連するペンシルコイルの製造方法に係り、その特徴とするところは、一次ボビンの内側に二次ボビンが挿入されるよう二次ボビン外径を一次ボビン内径より小径にすると共に、前記両ボビンにはボビン同士の相対的な回り止めが設けてあり、
前記二次ボビンに前記一次ボビン上端よりも頭出しされるボビンヘッドを設け、該ボビンヘッドには、二次ボビンを巻線機の回転シャフトにセットした時に回転シャフト側に設けたボビン回り止めに係合する係合部を設け、
前記二次コイルと一次コイルの巻線作業を一台の巻線機で行われるよう巻線機を共用にして、
まず前記二次ボビンをそのヘッドを介して前記巻線機の回転シャフトに挿入セットし、該回転シャフトと一緒に該二次ボビンを回転させることで二次ボビンに二次コイルを巻く二次コイル巻線工程と、
その後、前記巻線機に前記二次ボビンを取り付けたまま二次ボビンの外側に前記一次ボビンをボビン同士の回り止めを介して嵌めて、該一次ボビンを二次ボビンと一緒に回転させて該一次ボビンに一次コイルを巻く一次コイル巻線工程とを有する点にある。
【０１２０】
第６の実施態様も前記第１の実施態様，第２の実施例に関連したペンシルコイルの製造方法に係り、その特徴とするところは、一次ボビンの内側に二次ボビンが挿入されるよう二次ボビン外径を一次ボビン内径より小径にすると共に、前記両ボビンにはボビン同士の相対的な回り止めが設けてあり、
前記二次ボビンに前記一次ボビン上端よりも頭出しされるボビンヘッドを設け、該ボビンヘッドには、二次ボビンを巻線機の回転シャフトにセットした時に回転シャフト側に設けたボビン回り止めに係合する係合部を設け、
前記二次コイルの巻線機と前記一次コイルの巻線機とは別々のもので巻線用の回転シャフトを着脱自在にして一次巻線機，二次巻線機に共用させ、
まず前記回転シャフトを二次巻線機に取付けて該回転シャフトに前記二次ボビンをそのヘッドを介して挿入セットし、該回転シャフトと一緒に該二次ボビンを回転させることで二次ボビンに二次コイルを巻く二次コイル巻線工程と、
その後、該二次ボビンを取付けたまま前記回転シャフトを前記二次巻線機から外して、該回転シャフトを前記一次巻線機に取付けると共に二次ボビンの外側に前記一次ボビンをボビン同士の回り止めを介して嵌めて、該一次ボビンを二次ボビンと一緒に回転させて該一次ボビンに一次コイルを巻く一次コイル巻線工程とを有する点にある。
【０１２１】
第７の実施態様も前記第１の実施態様，第２の実施態様に関連したペンシルコイルの製造方法に係り、その特徴とするところは、一次ボビンの内側に二次ボビンが挿入されるよう二次ボビン外径を一次ボビン内径より小径にすると共に、前記両ボビンにはボビン同士の相対的な回り止めが設けてあり、
前記二次ボビンに前記一次ボビン上端よりも頭出しされるボビンヘッドを設け、該ボビンヘッドには、二次ボビンを巻線機の回転シャフトにセットした時に回転シャフト側に設けたボビン回り止めに係合する係合部を設け、
前記二次コイルの巻線機と前記一次コイルの巻線機とは別々のもので巻線用の回転シャフトを共通型式のものとし、
まず前記二次ボビンをそのヘッドを介して二次巻線機の回転シャフトに挿入セットし、該回転シャフトと一緒に二次ボビンを回転させることで二次ボビンに二次コイルを巻く二次コイル巻線工程と、
その後、該二次ボビンを前記二次巻線機から外して、前記一次巻線機の回転シャフトに二次ボビンヘッドを介して挿入セットすると共に二次ボビンの外側に前記一次ボビンをボビン同士の回り止めを介して嵌めて、該一次ボビンを二次ボビンと一緒に回転させて該一次ボビンに一次コイルを巻く一次コイル巻線工程とを有する点にある。
【１２２】
【発明の効果】
このような端子配置構造によれば、図６（ｃ）の従来技術のように一次ボビン４に設けた一次コイル端子１（丸印）と二次ボビン２に設けた二次コイル端子３（丸印）とをコイル組みの工程で渡り線Ｍで接続するような作業を不要とし、或いは各ボビンに仮止めしたコイル一端をコイル組み後にその仮止めをほどいて所定の端子に接続し直すような煩雑な作業を不要とし、製造工程の合理化を図り得る。
【図面の簡単な説明】
【図１】  本発明の第１実施例に係る点火コイル装置の縦断面図（図３のＢ−Ｂ´線断面図）及びその一部を拡大したＥ部拡大断面図。
【図２】  図２のＡ−Ａ´線断面図。
【図３】  図１の点火コイル装置を上面からみた図で、回路ケースの内部を樹脂充填前の状態で表している図。
【図４】  第１実施例に使用する点火回路図。
【図５】  本実施例に係る点火コイル装置のエンジンに取り付けた状態を示す説明図。
【図６】  （ａ）は点火コイル装置の原理回路図、（ｂ）は本発明に係る点火コイルの製造原理を示す説明図、（ｃ）は従来の点火コイルの製造原理を示す説明図。
【図７】  第１実施例に用いる二次ボビンの部分斜視図。
【図８】  第１実施例に用いる一次ボビンと二次ボビンの組みの状態を示す部分斜視図。
【図９】  第１実施例に用いる点火コイル組み及び回路ユニットの位置関係を示す説明図。
【図１０】  第１実施例の二次ボビンを一次ボビンに挿入する状態を示す部分斜視図。
【図１１】  （ａ）は第１実施例の一次ボビンの底面図、（ｂ）はその二次ボビンの底面図、（ｃ）は上記（ａ）のＣ−Ｃ´線断面図、（ｄ）は一次ボビンと二次ボビンの組みの状態を示す底面図。
【図１２】  第１実施例に用いるコイルケースの断面図。
【図１３】  点火コイル装置の製造過程を示す説明図。
【図１４】  点火コイル装置の製造例を示す説明図。
【図１５】  巻線機の回転シャフトと一次ボビン，二次ボビンの取付例を示す説明図。
【図１６】  巻線機のモータから二次ボビン挿入状態の回転シャフトを取り外した状態を示す説明図。
【図１７】  本発明の第２実施例に係る点火コイル装置の要部断面図（図１８のＤ−Ｄ´線断面図）。
【図１８】  図１７の点火コイル装置を上面からみた図で、回路ケースの内部を樹脂充填前の状態で表している図。
【図１９】  第２実施例に用いる二次ボビンの部分斜視図。
【図２０】  第２実施例に用いる一次ボビンと二次ボビンの組みの状態を示す部分斜視図。
【図２１】  第２実施例に用いる点火回路図。
【図２２】  第２実施例の点火コイル装置の実装状態を示す説明図。
【図２３】  第２実施例に用いるノイズ防止コンデンサの取付状態を示す説明図。
【図２４】  第２実施例に用いるノイズ防止コンデンサの取付状態を示す説明図。
【図２５】  従来の点火コイル製造例を示す説明図。
【符号の説明】
１…センターコア、２…二次ボビン、２Ａ…二次ボビンヘッド、３…二次コイル、４…一次ボビン、５…一次コイル、６…コイルケース、７…センターコア、８…絶縁樹脂、９…回路ケース、９Ｂ…コネクタハウジング、１８…一次・二次コイル兼用端子、１９…一次コイル端子、３１，３３，３３…コネクタ端子、３２，３４，３６…引出し端子（リード端子）、３７…金属ベース、３９…点火制御駆動素子、４０…点火回路ユニット、４１…点火回路（ハイブリットＩＣ）、６２…回転シャフト、７１…点火ノイズ防止用コンデンサ。
【図１】
0004034212.tif 000002
【図２】
0004034212.tif 000003
【図３】
0004034212.tif 000004
【図４】
0004034212.tif 000005
【図５】
0004034212.tif 000006
【図６】
0004034212.tif 000007
【図７】
0004034212.tif 000008
【図８】
0004034212.tif 000009
【図９】
0004034212.tif 000010
【図１０】
0004034212.tif 000011
【図１１】
0004034212.tif 000012
【図１２】
0004034212.tif 000013
【図１３】
0004034212.tif 000014
【図１４】
0004034212.tif 000015
【図１５】
0004034212.tif 000016
【図１６】
0004034212.tif 000017
【図１７】
0004034212.tif 000018
【図１８】
0004034212.tif 000019
【図１９】
0004034212.tif 000020
【図２０】
0004034212.tif 000021
【図２１】
0004034212.tif 000022
【図２２】
0004034212.tif 000023
【図２３】
0004034212.tif 000024
【図２４】
0004034212.tif 000025
【図２５】
0004034212.tif 000026